(57)【要約】  【課題】本発明は、石材同士又は石材と他の物体とを凹凸面により互いにはめ込み、前記凹凸面のいずれかの個所であって、かつ接合面に実質的に垂直方向に孔を設けてこの中に金属ピンを埋め込み、前記接合面の隙間に、防水性充填材を充填したことにより、耐震性の高い石組み構造体を提供する。  【解決手段】本発明の石組み構造体(20)は、石材同士(1,2)又は石材と他の物体を接合した石組み構造体(20)であって、前記石材(1,2)同士又は石材と他の物体とを凹凸面(3,4)により互いにはめ込み、前記凹凸面(3,4)のいずれかの個所であって、かつ接合面に実質的に垂直方向に孔(10,11)を設けてこの中に金属ピン(5)を埋め込み、前記接合面の隙間に防水性充填材(6)を充填する。【選択図】  図１
2005207193.tif 000002
【特許請求の範囲】
【請求項１】
石材同士又は石材と他の物体を接合した石組み構造体であって、
前記石材同士又は石材と他の物体とを凹凸面により互いにはめ込み、
前記凹凸面のいずれかの個所であって、かつ接合面に実質的に垂直方向に孔を設けてこの中に金属ピンを埋め込み、
前記接合面の隙間に防水性充填材を充填したことを特徴とする石組み構造体。
【請求項２】
前記孔と金属ピンとの隙間にも充填材を充填した請求項１に記載の石組み構造体。
【請求項３】
前記凹凸面が水平線よりも高い位置に存在する請求項１に記載の石組み構造体。
【請求項４】
前記接合面の隙間に充填した防水性充填材の外側に、さらにコーキング材を充填した請求項１に記載の石組み構造体。
【請求項５】
前記接合面の隙間に、スペーサーを介在させた請求項１〜４のいずれかに記載の石組み構造体。
【請求項６】
前記石組み構造体が、石造建造物の壁、屋根、フローリング、天井、塀、仕切り、インテリア物品、モニュメントの石組み、及び墓石から選ばれる少なくとも一つである請求項１〜４のいずれかに記載の石組み構造体。
【発明の詳細な説明】
【技術分野】
【０００１】
本発明は、耐震構造の石造建造物の壁、屋根、フローリング、天井、塀、仕切り、モニュメントの石組み、墓石などに有用な石組み構造体に関する。
【背景技術】
【０００２】
近年大理石や御影石などの自然石（天然石）を用いた建造物が、多く使用されてきている。たとえば墓、祠、納骨堂、ビルディングの外壁、内壁、フローリング、天井、モニュメントの石組、庭の外の仕切り塀の外壁などに使用する例が広がっている。自然石は高級感があり、セメントを含むコンクリートとは美観、見栄え、感触がまったく相違することから、使用範囲は拡大している。大きな石造建造物では、構造物の内部は鉄筋コンクリートで構成するが、その外側の目に見える部分は、石材を貼り付けて固定する例もある。
【０００３】
本出願人は、下記特許文献１において、防水性の高い石組み構造体を提案した。この石組み構造体は、少なくとも一段の段差を設け、前記石プレート間の間隙にスペーサーを介在させるとともに、前記石プレート間の間隙を樹脂で充填するか、又は所定の傾斜角を有する屋根組構造石板の間隙にスペーサーを介在させるとともに、前記石プレート間の間隙を樹脂で充填し、かつ前記間隙の上部に覆板を設けたものである。
【特許文献１】特開平６−３３０５５９号公報
【発明の開示】
【発明が解決しようとする課題】
【０００４】
しかし、前記従来の石組み構造体をさらに改良し、耐震性についての対策がさらに必要であるという要請があった。とくに、近年地震に対する警戒が高まってきており、耐震性の向上は産業界や消費者から高い要請がある。
【０００５】
本発明は、前記従来の問題を解決するため、耐震性の高い石組み構造体を提供することにある。
【課題を解決するための手段】
【０００６】
本発明の石組み構造体は、石材同士又は石材と他の物体を接合した石組み構造体であって、前記石材同士又は石材と他の物体とを凹凸面により互いにはめ込み、前記凹凸面のいずれかの個所であって、かつ接合面に実質的に垂直方向に孔を設けてこの中に金属ピンを埋め込み、前記接合面の隙間に防水性充填材を充填したことを特徴とする。
【発明の効果】
【０００７】
本発明は、石材同士又は石材と他の物体とを凹凸面により互いにはめ込み、前記凹凸面のいずれかの個所であって、かつ接合面に実質的に垂直方向に孔を設けてこの中に金属ピンを埋め込み、前記接合面の隙間に防水性充填材を充填したことにより、耐震性の高い石組み構造体とすることができる。すなわち、石材同士又は石材と他の物体とを凹凸面により互いにはめ込むことにより強度は向上し、さらに接合面に実質的に垂直方向に孔を設けてこの中に金属ピンを埋め込むことにより、相乗的に強度を向上させることができる。この構造により、横揺れにも縦揺れにも強い耐震構造の石組み構造体とすることができる。
【発明を実施するための最良の形態】
【０００８】
本発明において、石材同士又は石材と他の物体とを互いにはめ込む凹凸面は、断面から見て一方が凹面で他方がこれに合致する凸面を有していればよい。凹凸面は、直線で形成しても良いし、角を丸めたり、あるいは全体を曲面で形成しても良い。凹凸の大きさや形状はとくに限定されない。前記において、他の物体とは石材以外のコンクリートや土台等をいう。
【０００９】
次に前記凹凸面のいずれかの個所であって、かつ接合面に実質的に垂直方向に孔を設けてこの中に金属ピンを埋め込む。ここで「接合面に実質的に垂直方向」とは、垂直方向（９０度）が最も好ましいが、多少の角度をつけても良く、９０度±１５度程度の範囲内をいう。金属ピンとしては、例えば錆に強いステンレス製を使用することができる。金属ピンは、凹凸面の両方に向かって埋め込まれる。金属ピンの寸法や形状はとくに限定されない。
【００１０】
前記接合面の隙間には、防水性充填材を充填する。防水性充填材としては、石材用ボンドとして一般的に使用されているものであればどのようなものでも良く、例えばシリコーン樹脂系、シリコーンゴム系、アクリル樹脂系、ウレタン樹脂系等の樹脂系充填材、セメント等の無機系充填材、前記樹脂にシリカ粒子、アルミナ粒子等のフィラーを加えた充填材等を使用することができる。好ましくは室温硬化型シリコーンゴム（ＲＴＶシリコーンゴム）である。とくに一液タイプのものが使用に便利である。石プレート間の接着性と防水性に優れ、かつ耐熱性、耐寒性、耐久性にも優れるからである。さらに樹脂は任意の着色をすることができるので、顧客の要望に応じた着色もできる。もちろんシリコーンゴムは振動にも強く、ひび割れなどしにくい。防水性充填材の充填厚さは１〜２０ｍｍ程度が好ましい。
【００１１】
前記石組み構造体においては、孔と金属ピンとの隙間にも充填材を充填したことが好ましい。金属ピンを埋め込む石材の孔が、金属ピンの直径よりほんの少しだけ大きければ、充填材無しでも金属ピンは石材に固定できる。しかし、この場合は孔開け加工が難しいので、孔は金属ピンが自由に出し入れできる程度の直径に開けて、金属ピンを充填材により固定する。これにより、金属ピンは石材に強固に固定される。
【００１２】
前記凹凸面は水平線よりも高い位置に存在することが好ましい。これにより、万一充填材にひび割れなどが生じた場合であって、降雨などにより外面が水に濡れても、内部への水の浸入を防止できる。
【００１３】
前記接合面の隙間に充填した防水性充填材の外側に、さらにコーキング材を充填しても良い。コーキング材としては、防水性の高い例えばフッ素樹脂系、シリコーン樹脂系、シリコーンゴム系、アクリル樹脂系、ウレタン樹脂系等の樹脂系コーキング材を使用できる。
【００１４】
前記接合面の隙間には、スペーサーを介在させることが好ましい。スペーサーとしては、充填材の充填に必要な間隔を開けるための大きさのものであればどのようなものでも良い。例えば平均粒子径が１〜２０ｍｍ程度の石を使用できる。スペーサーを介在させない場合は、石材の接合面に充填材の充填に必要な間隔を開けるために必要な凹凸を形成しても良い。
【００１５】
本発明の石組み構造体は、壁や塀のように垂直方向に石材を配置する建造物に好適に使用できるが、他にも屋根のように傾斜があっても良いし、フローリングなど水平に石材を配置する建造物にも適用できる。
【００１６】
また、石材としてはとくに限定されない。例えば、御影石、大理石、大谷石、石灰岩、琉球石灰岩等を使用することができる。
【００１７】
（実施例１）
以下実施例を用いて本発明をさらに具体的に説明する。
【００１８】
図１は本発明の一実施例の石組み構造体２０の断面図である。石材は御影石を用いた。厚み１００ｍｍの石材１，２を接合するに際して、下の石材１には高さ２４ｍｍ、直径２４ｍｍの凸部３を形成し、この凸部３の中央部に直径１５ｍｍ、深さ５５ｍｍの孔１０を開けた。この孔１０の中に直径１０ｍｍ、長さ１００ｍｍのステンレス製ピン５を埋め込んだ。周囲には防水性充填材６として、コニシ株式会社製商品名“ボンドＥＫ２７０”を充填した。
【００１９】
上の石材２には深さ２４ｍｍ、直径４４ｍｍの凹部４を形成し、さらに凹部４の中央部に直径１５ｍｍ、深さ５５ｍｍの孔１１を開けた。
【００２０】
次に、下の石材１の凸部３の周囲に直径１０ｍｍの石の粒子からなるスペーサー８を接着剤で仮止めし、前記防水性充填材４を塗布し、上の石材２を載せて保持した。すなわち、前記凹部４に凸部３がはめ込まれ、接合面に垂直方向にステンレス製ピン５が埋め込まれ、前記接合面の隙間に、防水性充填材６充填された。最後に隙間の部分にコーキング材７として、コニシ株式会社製商品名“シリコンコーク”を充填した。
【００２１】
以上により、耐震構造の石組み構造体２０を作製できた。
【００２２】
（実施例２）
図２は、実施例１の石組構造体２０を用いた沖縄地方の墓（納骨堂）の正面図であり、図３は同Ｉ−Ｉ線断面図である。材料は御影石を用いた。墓全体の大きさは、高さが約２５１０ｍｍ、幅約２５００ｍｍ、奥行き約２５１０ｍｍである。奥の壁石の厚さは１００ｍｍ、屋根部分の石材プレートの厚さは１５０ｍｍであった。
【００２３】
図２，３において、石材１と２との接合面は実施例１と同様の石組構造体２０とした。すなわち、図面に向かって右側の裏面壁面の土台と壁面１との接合面、壁面１，２同士の接合面、壁面２と屋根石材との接合面、図面に向かって左側の表面壁面の土台と壁面との接合面、壁面同士の２箇所の接合面を石組構造体２０で構成した。これにより、耐震構造の石組み構造体からなる墓を作製できた。
【００２４】
なお、屋根の部分も石組構造体２０で構成したが、これは必ずしも必要ではなく、特開平６−３３０５５９号公報で提案した段差構造であっても良い。
【００２５】
以上の実施例は墓建築物について説明したが、本発明は一般の建造物にも使用できる。
【産業上の利用可能性】
【００２６】
本発明の石組み構造体は、石造建造物の壁、屋根、フローリング、天井、塀、仕切り、テーブル、暖炉、洗面台などのインテリア物品、モニュメントの石組み、墓石等の様々なものに適用できる。また天然石を用いた場合は本発明の構造を採用することにより、美観、見栄え、感触など高級感を出すことができる。
【図面の簡単な説明】
【００２７】
【図１】本発明の一実施例における石組み構造体の断面図である。
【図２】本発明の一実施例における墓の正面図である。
【図３】同、図２のＩ−Ｉ線断面図である。
【符号の説明】
【００２８】
１，２  石材
３  凸部
４  凹部
５  金属製ピン
６，９  防水性充填材
７  コーキング材
８  スペーサー
９
１０，１１  孔
２０  石組み構造体
【図１】
2005207193.tif 000003
【図２】
2005207193.tif 000004
【図３】
2005207193.tif 000005